(57)【要約】【課題】低コストで、文字板の意匠照明の均一化を達成することができる照明構造を提供する。【解決手段】光源Ｌ１から内側にある意匠１１への直接光Ｒ０を遮断するように、筒状部３４の外側面から遮光部３４ａが突設されている。これにより、外側にある意匠１２及び内側にある意匠１１の照明が均一化される。【選択図】      図３
2004325106.tif 000002
【特許請求の範囲】
【請求項１】
指針軸孔近傍に形成された内側意匠及び前記指針軸孔からみて前記内側意匠の外側に形成された外側意匠を有する文字板と、
文字板裏面側の指針基部の下方において、前記文字板裏面及び前記指針基部に同時に光を供給するように配置された光源と、
前記指針軸孔と略同等の外径で指針軸部を周回するように形成された筒状部と、
前記光源から前記内側意匠への直接光を遮断するように、前記筒状部の外側面から突設された遮光部と、
を有することを特徴とする文字板の照明構造。
【請求項２】
請求項１記載の文字板の照明構造において、
前記遮光部は、
前記筒状部の外側面から真横に延びる平板状に形成されている、
ことを特徴とする文字板の照明構造。
【請求項３】
請求項１記載の文字板の照明構造において、
前記遮光部は、
前記筒状部の外側面から一旦真横に延びて下方に折れ曲がる板状に形成されている、
ことを特徴とする文字板の照明構造。
【請求項４】
請求項１記載の文字板の照明構造において、
前記遮光部は、
前記筒状部に一体形成されて上方に向かうにしたがって徐々に広がる傾斜面から真横に延びる板状に形成されている、
ことを特徴とする文字板の照明構造。
【請求項５】
請求項１記載の文字板の照明構造において、
前記遮光部は、
前記筒状部の外側面から上に凸の凸面鏡状に形成されている、
ことを特徴とする文字板の照明構造。
【発明の詳細な説明】
【０００１】
【発明の属する技術分野】
本発明は、文字板の照明構造に関し、特に、車両用計器等に用いられて、低コストで文字板の意匠照明の均一化を達成することができる照明構造に関する。
【０００２】
【従来の技術】
近年、車両用計器等においては、小型化及び軽量化が進むにともない、導光部材を用いることなく、光源からの直接光又は文字板裏面側に設けられた反射壁を介した反射光を利用して、文字板や指針を照明する構造がとられているものがある。このような照明構造の中には、下記特許文献１にて示されるように、文字板裏面側の指針基部の下方に配設された光源により、文字板及び指針に同時に光を供給するようになったものがある。
【０００３】
図７は、このような従来の照明構造を示す断面図である。ここで、図７に示す照明構造は、車両用計器のエンジンの回転数表示部に用いられているものとする。図７に示すように、文字板９０１の回転数表示部には、回転数単位を表す意匠９１１及びこれより外側にエンジンの回転数に対応した数字や目盛りを表す意匠９１２が、中抜きに印刷されて形成されている。また、文字板９０１上の指針９２１の基部が配置される位置には、円形の指針軸孔９１３が穿設されている。
【０００４】
指針９０２は、指針指示部９２１、指針軸部９２２、指針基部の上方に覆設される指針キャップ９２３から基本構成される。指針９０２は、指針基部にて光源Ｌ９０１からの光を受ける。この光は、指針指示部９２１内で反射しつつ先端方向に進行する。これにより、指針９０２は、ホットスタンプ層の色調に基づいて光輝する。
【０００５】
文字板９０１が重設されるケースには、指針９０２の回動領域をカバーし、光源Ｌ９０１等からの光を文字板裏面に反射させる反射壁９３３が形成されている。また、このケースには、光源Ｌ９０１からの光を効率的に指針基部に供給するために、指針軸部９２２を周回するように筒状部９３４が形成されている。
【０００６】
ケースの下方に配置される基板９０４には、光源Ｌ９０１、ムーブメント９０５等、この計器に係る各種電子部品等が実装されている。光源Ｌ９０１は、文字板裏面及び指針基部に同時に光を供給するように基板９０４上に配置されている。ムーブメント９０５は、基板９０４の裏面に本体が配置され、その回転軸９５１が基板９０４を貫通して、指針軸部９２２に挿通されている。
【０００７】
このような構成において、所定の点灯信号に応答して光源Ｌ９０１が点灯すると、光源Ｌ９０１からの光は、筒状部９３４内部を上方に向かい指針基部に入射する（不図示）。この光は、上述したように、指針指示部９２１内部で反射を繰り返しつつ先端方向に進行して指針９０２を光輝させる。また、光源Ｌ９０１からの光は、指針基部に供給されると同時に、文字板裏面にも供給される。すなわち、光源Ｌ９０１からの光は、Ｒ９１で示すように直接、又は、Ｒ９２で示すように反射壁９３３で反射した後に、文字板裏面に入射する。
【０００８】
【特許文献１】
特開２００１−２０１３７２号公報（図１）
【特許文献２】
実開昭６０−２７３９４号公報
【特許文献３】
実開平３−２２２０号公報
【０００９】
【発明が解決しようとする課題】
ところで、上記外側にある意匠９１２は、ある程度離れた光源Ｌ９０１からの直接光やその反射光Ｒ９２により照明されるので、適度な明るさで照明される。これに対して、より内側にある意匠９１１は、光源Ｌ９０１により近接しているため、その直接光Ｒ９１により、必要以上に明るく照明される。このため、文字板９０１上の各意匠の照明が不均一になり、視認性及び見栄えが低下するという問題が発生する。
【００１０】
このような意匠照明の不均一性を防止するために、上記特許文献２及び特許文献３では、別部材や特殊印刷を追加しているが、いずれもコストアップを招くものであった。
【００１１】
よって本発明は、上述した現状に鑑み、低コストで、文字板の意匠照明の均一化を達成することができる照明構造を提供することを課題としている。
【００１２】
【課題を解決するための手段】
上記課題を解決するためになされた請求項１記載の文字板の照明構造は、指針軸孔近傍に形成された内側意匠及び前記指針軸孔からみて前記内側意匠の外側に形成された外側意匠を有する文字板と、文字板裏面側の指針基部の下方において、前記文字板裏面及び前記指針基部に同時に光を供給するように配置された光源と、前記指針軸孔と略同等の外径で指針軸部を周回するように形成された筒状部と、前記光源から前記内側意匠への直接光を遮断するように、前記筒状部の外側面から突設された遮光部と、を有することを特徴とする。
【００１３】
請求項１記載の発明によれば、光源から内側意匠に直接向かう光は、筒状部の外側面に突設された遮光部により遮断される。このため、光源により近い内側意匠が必要以上に明るく照明されることがなくなる。また、遮光部は筒状部に一体形成されているので、コスト高になることもない。
【００１４】
上記課題を解決するためになされた請求項２記載の文字板の照明構造は、請求項１記載の文字板の照明構造において、前記遮光部は、前記筒状部の外側面から真横に延びる平板状に形成されている、ことを特徴とする。
【００１５】
請求項２記載の発明によれば、遮光部は筒状部の外側面から真横に延びる平板状に形成されているので、成形が容易である。
【００１６】
上記課題を解決するためになされた請求項３記載の文字板の照明構造は、請求項１記載の文字板の照明構造において、前記遮光部は、前記筒状部の外側面から一旦真横に延びて下方に折れ曲がる板状に形成されている、ことを特徴とする。
【００１７】
請求項３記載の発明によれば、遮光部は、筒状部の外側面から一旦真横に延びて下方に折れ曲がる板状に形成されているので、遮光部の真横方向への突出を抑えることができる。
【００１８】
上記課題を解決するためになされた請求項４記載の文字板の照明構造は、請求項１記載の文字板の照明構造において、前記遮光部は、前記筒状部に一体形成されて上方に向かうにしたがって徐々に広がる傾斜面から真横に延びる板状に形成されている、ことを特徴とする。
【００１９】
請求項４記載の発明によれば、遮光部は、筒状部に一体形成されて上方に向かうにしたがって徐々に広がる傾斜面から真横に延びる板状に形成されているので、光源からの光をより有効に利用することができる。
【００２０】
上記課題を解決するためになされた請求項５記載の文字板の照明構造は、請求項１記載の文字板の照明構造において、前記遮光部は、前記筒状部の外側面から上に凸の凸面鏡状に形成されている、ことを特徴とする。
【００２１】
請求項５記載の発明によれば、遮光部は、筒状部の外側面から上に凸の凸面鏡状に形成されているので、内側意匠への入射光を均等に拡散させて、内側意匠の照明品質を向上させることができる。
【００２２】
【発明の実施の形態】
以下、本発明の実施の形態を図面に基づいて説明する。
まず、図１〜図３を用いて、本発明の照明構造の第１実施形態について説明する。図１は、本発明の照明構造の第１実施形態を示す正面図である。図２は、図１における遮光部近傍を示す部分断面図である。図３は、図１におけるＸＸ線断面図である。なお、図１において、文字板は切り欠かれて示されている。
【００２３】
車両用計器は、車速表示部、エンジンの回転数表示部、車両用電源の電圧表示部、エンジンの油圧表示部等が一体化されたいわゆるコンビネーションメータが近年多用されているが、本実施形態は、このようなコンビネーションメータにおけるエンジンの回転数表示部に適用されるものとする。
【００２４】
図１及び図３に示すように、文字板１の回転数表示部１００には、「×１０００ＲＰＭ」で示すような回転数単位を表す意匠１１（請求項中の内側意匠）及び、「１」、「２」…等で示すような回転数に対応した数字や目盛りを表す意匠１２（請求項中の外側意匠）が形成されている。文字板１は、例えば、ポリカーボネイトシートからなる、ブルー色、オレンジ色、白色系統等の透明生地のシート板である。文字板１は、意匠１１、１２等を中抜きにして例えば黒系統色のインクが塗布されている。文字板１には、各種ワーニングを表す意匠も形成されるが、ここでは省略している。また、文字板１上の指針２の基部が配置される位置には、円形の指針軸孔１３が穿設されている。
【００２５】
指針２は、周知のように、透光性を有する透明樹脂で形成される指針指示部２１、指針基部の下方に延びる指針袴とよばれる指針軸部２２、及び指針基部の上方に覆設される指針キャップ２３から基本構成される。指針２は、指針基部にて光源Ｌ１〜Ｌ３からの光を受ける。この光は指針指示部２１内で反射を繰り返しつつ先端方向に進行する。これにより、指針２は、光源色及び指針指示部２１の下面に形成されたホットスタンプ層の色調に基づいて光輝する。
【００２６】
文字板１は、樹脂製のケース３上に重設される。ケース３には、文字板１に形成された各種ワーニング意匠等を裏面から照明する光源Ｌ４、Ｌ５を収容する光源収容部３１、３２、指針２の回動領域をカバーし、光源Ｌ１〜Ｌ３からの光を文字板裏面に反射させる反射壁３３が形成されている。また、ケース３には、光源Ｌ１〜Ｌ３からの光を効率的に指針基部に供給するために、指針軸孔１３と略同等の外径で指針軸部２２を周回するように、筒状部３４が形成されている。
【００２７】
筒状部３４には、本発明の特徴となる遮光部３４ａが一体形成されている。遮光部３４ａは、図１〜図３、特に、図３に示すように、筒状部３４の外側面から真横に延びる平板状に形成されている。この遮光部３４ａは、光源Ｌ１から意匠１１への直接光Ｒ０を遮断するように突設されている。また、遮光部３４ａの横幅は、上記意匠１１の「×１０００ＲＰＭ」の文字長よりも、やや広くなっている。これも、光源Ｌ１から意匠１１への直接光Ｒ０を遮断するために貢献している。
【００２８】
ケース３の下方には、基板４が配置される。基板４には、光源Ｌ１〜Ｌ５、ムーブメント５等、この計器に係る各種電子部品等が実装されている。光源Ｌ１〜Ｌ５は、例えば、周知のＬＥＤ（発光ダイオード）が用いられる。特に、光源Ｌ１〜Ｌ３は、文字板裏面及び指針基部に同時に光を供給するように、基板４上に配置されている。ムーブメント５は、基板４の裏面に本体が配置され、回転軸５１が基板４を貫通して、指針軸部２２に挿通されている。なお、基板４の下方に配置される裏カバーや、文字板１の上方に覆設される表ガラス等は、ここでは省略されている。
【００２９】
このような照明構造による作用効果について、以下に図３を用いて説明する。所定の点灯信号に応答して光源Ｌ１〜Ｌ３が点灯すると、光源Ｌ１〜Ｌ３からの光は、筒状部３４内部を上方に向かい指針基部に入射する（不図示）。この光は、上述したように、指針指示部２１内部で反射を繰り返しつつ先端方向に進行して指針２を所定色で光輝させる。
【００３０】
また、光源Ｌ１〜Ｌ３からの光は、指針基部に供給されると同時に、文字板裏面にも供給される。すなわち、Ｒ１、Ｒ２で示すように、直接、又は、一旦反射壁３３で反射した後に、文字板裏面に入射する。これにより、外側にある意匠１２等が照明される。一方、光源Ｌ１からの光Ｒ０は、上述したように、遮光部３４ａにて遮断されるため、内側にある意匠１１に直接入射することはない。これにより、外側にある意匠１２及び内側にある意匠１１の照明が均一化される。
【００３１】
補足すると、外側にある意匠１２は、ある程度離れた光源Ｌ１〜Ｌ３からの直接光Ｒ１、Ｒ２や、反射光Ｒ３により照明されるので、適度な明るさで照明される。これに対して、内側にある意匠１１は、光源Ｌ１に近接しているため、その直接光Ｒ０により、遮光部３４ａなしでは非常に明るく照明されることになるが、この遮光部３４ａにより、直接光Ｒ０が遮断される。但し、意匠１１には、光Ｒ１〜Ｒ３の反射光等が供給されるので、直接光Ｒ０の遮断により極端に暗くなることもなく、適度な明るさで照明される。これらの作用により、意匠１１及び意匠１２の照明が均一化される。
【００３２】
このように、文字板１上の外側及び内側意匠の照明が均一化されるため、視認性及び見栄えが向上する。また、遮光部３４ａは、筒状部３４に一体形成されるので、低コストでこのような効果を享受することができる。
【００３３】
次に、図４を用いて、上記遮光部３４ａの他の実施形態について説明する。図４（Ａ）及び図４（Ｂ）はそれぞれ、本発明の照明構造の第２実施形態及び第３実施形態を示す断面図である。なお、図４の断面図は、上記図３の断面図に対応するものであり、共通する部分には同一の符号を付して重複説明は省略する。
【００３４】
第２実施形態の照明構造は、図４（Ａ）に示すように、上記平板状の遮光部３４ａに替えて、筒状部３４の外側面から一旦真横に延びて下方に折れ曲がる板状に遮光部３４ｂが形成されている。この遮光部３４ｂにより、第１実施形態と同等の直接光Ｒ０の遮断効果を維持しつつ、遮光部の真横方向への突出を抑えることができる。他の構成及び作用は、上述の第１実施形態と同様なので、重複説明は省略する。
【００３５】
第３実施形態の照明構造は、図４（Ｂ）に示すように、上記平板状の遮光部３４ａに替えて、筒状部３４に一体形成されて上方に向かうにしたがって徐々に広がる傾斜面３４′から真横に延びる板状に遮光部３４ｃが形成されている。この傾斜面３４′により、光源Ｌ１〜Ｌ３からの光を反射又は再反射させて、光源Ｌ１〜Ｌ３からの光をより有効に利用しつつ、遮光部３４ｃにより、第１実施形態と同等の直接光Ｒ０の遮断効果を享受できる。
【００３６】
更に、図５及び図６を用いて、本発明の照明構造の第４実施形態について説明する。図５は、本発明の照明構造の第４実施形態を示す正面図である。図６は、図５におけるＹＹ線断面図である。なお、図５においても、文字板は切り欠かれて示されている。本実施形態は、コンビネーションメータにおいて、上記回転数表示部の左側に配置される車両用電源の電圧表示部及びエンジンの油圧表示部に適用されるものとする。
【００３７】
図５及び図６に示すように、文字板１の電圧表示部１０１には、「バッテリマーク」で示すような意匠１１１（請求項中の内側意匠）及び、「９」、「１９」で示すような数字や目盛りで電圧を表す意匠１１２（請求項中の外側意匠）が形成されている。文字板１０１は、上記文字板１と同様、ブルー色、オレンジ色、白色系統等の透明生地のシート板であり、意匠１１１、１１２等を中抜きにして黒系統色のインクが塗布されている。また、文字板１０１上の指針１０２の基部が配置される位置には、円形の指針軸孔１１３が穿設されている。
【００３８】
指針１０２は、上記指針２と同様、指針指示部１２１、指針軸部１２２、指針キャップ１２３から基本構成される。指針１０２は、指針基部にて光源Ｌ１０１及びＬ１０２からの光を受ける。この光は指針指示部１２１の先端方向に進行する。これにより、指針１０２も、光源色及び指針指示部１２１の下面に形成されたホットスタンプ層の色調に基づいて光輝する。
【００３９】
文字板１０１が重設されるケース３には、指針１０２の回動領域をカバーし、光源Ｌ１０１及びＬ１０２からの光を文字板裏面に反射させる反射壁１３３が形成されている。また、ケース３には、光源Ｌ１０１及びＬ１０２からの光を効率的に指針基部に供給するために、指針軸孔１１３と略同等の外径で指針軸部１２２を周回するように筒状部１３４が形成されている。
【００４０】
筒状部１３４には、遮光部１３４ａが一体形成されている。遮光部１３４ａは、筒状部１３４の外側面から上に凸の凸面鏡状に形成されている。この遮光部１３４ａは、光源Ｌ１０１から意匠１１１への直接光Ｒ１００を遮断するように形成されている。また、この遮光部１３４ａは、反射壁１３３等に一旦反射した光を均等に反射させるように、上に凸の凸面鏡状に形成されている。
【００４１】
ケース３の下方に配置される基板４には、光源Ｌ１０１及びＬ１０２、ムーブメント１０５等、この計器に係る各種電子部品等が実装されている。光源Ｌ１０１及びＬ１０２は、周知のＬＥＤが用いられる。光源Ｌ１０１及びＬ１０２は、文字板裏面及び指針基部に同時に光を供給するように、基板４上に配置されている。ムーブメント１０５は、基板４の裏面に本体が配置され、回転軸１５１が基板４を貫通して、指針軸部１２２に挿通されている。
【００４２】
なお、文字板１の油圧表示部２０１も上記電圧表示部１０１と同様の構成を有している。すなわち、「油圧マーク」で示すような意匠２０１（請求項中の内側意匠）及び、油圧を表す目盛りを示す意匠２０２（請求項中の外側意匠）が形成されている。指針２０２の基部が配置される位置には、円形の指針軸孔２１３が穿設されている。光源Ｌ２０１、Ｌ２０２、筒状部２３４、及び遮光部２３４ａはそれぞれ、上記光源Ｌ１０１、Ｌ１０２、筒状部１３４、遮光部１３４ａと同様の構成を有している。したがって、以降の説明では、代表して電圧表示部１０１を用いて説明する。
【００４３】
このような照明構造による作用効果について、以下に図６を用いて説明する。所定の点灯信号に応答して光源Ｌ１０１及びＬ１０２が点灯すると、これら光源Ｌ１０１及びＬ１０２からの光は、筒状部１３４内部を上方に向かい指針基部に入射する（不図示）。この光は、上述したように、指針内部で反射を繰り返しつつ先端方向に進行して指針１０２を光輝させる。
【００４４】
また、光源Ｌ１０１及びＬ１０２からの光は、指針基部に供給されると同時に、文字板裏面にも供給される。すなわち、Ｒ１０１で示すように、直接、又は、一旦反射壁１３３で反射した後に、文字板裏面に入射する。これにより、外側にある意匠１１２等が照明される。すなわち、外側にある意匠１１２は、ある程度離れた光源Ｌ１０１及びＬ１０２からの光により照明されるので、適度な明るさで照明される。
【００４５】
一方、光源Ｌ１０１からの光Ｒ１００は、上述したように、遮光部１３４ａにて遮断されるため、内側にある意匠１１１に直接入射することはない。但し、意匠１１１には、反射光等が供給されるので、直接光Ｒ１００の遮断により極端に暗くなることもなく、適度な明るさで照明される。これらの作用により、外側にある意匠１１２及び内側にある意匠１１１の照明が均一化される。更に、意匠１１１には、反射壁１３３等で反射した光や遮光部１３４ａの凸面部で均等に分散された光が供給されるので、意匠１１１の照明品質が向上する。なお、電圧表示部１０１と同様の構成の油圧表示部２０１もこれと同様の作用効果を有する。
【００４６】
以上のように、本発明の実施形態によれば、低コストで、文字板の意匠照明の均一化を達成することができる照明構造を提供できる。
【００４７】
なお、本発明は、上記実施形態に限定されず、その主旨を逸脱しない範囲で各種変形が可能である。例えば、本照明構造は、コンビネーションメータ以外の車両用計器にも適用可能であるし、或いは、車両用計器以外にも適用可能である。また、遮光部３４ａ、３４ｂ、３４ｃは、上記実施形態で示した回転数表示部以外にも適用可能であるし、遮光部１３４ａ、２３４ａは、上記実施形態で示した電圧表示部、油圧表示部以外にも適用可能である。更に、コンビネーションメータにおける、いずれかの表示部、例えば、車速表示部や回転数表示部にのみ、本照明構造を適用するようにしてもよい。
【００４８】
【発明の効果】
以上説明したように、請求項１記載の発明によれば、光源から内側意匠に直接向かう光は、筒状部の外側面に突設された遮光部により遮断される。このため、光源により近い内側意匠が必要以上に明るく照明されることがなくなる。したがって、文字板上の意匠照明が均一化されて視認性及び見栄えが向上する。また、遮光部は筒状部に一体形成されているので、低コストでこのような効果を享受できる。
【００４９】
請求項２記載の発明によれば、遮光部は筒状部の外側面から真横に延びる平板状に形成されているので、成形が容易である。したがって、より低コストで、文字板の意匠照明の均一化を達成することができる。
【００５０】
請求項３記載の発明によれば、遮光部は、筒状部の外側面から一旦真横に延びて下方に折れ曲がる板状に形成されているので、遮光部の真横方向への突出を抑えることができる。
【００５１】
請求項４記載の発明によれば、遮光部は、筒状部に一体形成されて上方に向かうにしたがって徐々に広がる傾斜面から真横に延びる板状に形成されているので、光源からの光をより有効に利用することができる。
【００５２】
請求項５記載の発明によれば、遮光部は、筒状部の外側面から上に凸の凸面鏡状に形成されているので、内側意匠への入射光を均等に拡散させて、内側意匠の照明品質を向上させることができる。
【図面の簡単な説明】
【図１】本発明の照明構造の第１実施形態を示す正面図である。
【図２】図１における遮光部近傍を示す部分断面図である。
【図３】図１におけるＸＸ線断面図である。
【図４】図４（Ａ）及び図４（Ｂ）はそれぞれ、本発明の照明構造の第２実施形態及び第３実施形態を示す断面図である。
【図５】本発明の照明構造の第４実施形態を示す正面図である。
【図６】図５におけるＹＹ線断面図である。
【図７】従来の照明構造を示す断面図である。
【符号の説明】
１  文字板
２  指針
３  ケース
４  基板
５  ムーブメント
１１、１１１、２１１  意匠（内側意匠）
１２、１１２、２１２  意匠（外側意匠）
３３  反射壁
３４ａ、３４ｂ、３４ｃ、１３４ａ、  遮光部
Ｌ１〜Ｌ５、Ｌ１０１、Ｌ１０２、Ｌ２０１、Ｌ２０２  光源
【図１】
2004325106.tif 000003
【図２】
2004325106.tif 000004
【図３】
2004325106.tif 000005
【図４】
2004325106.tif 000006
【図５】
2004325106.tif 000007
【図６】
2004325106.tif 000008
【図７】
2004325106.tif 000009